(57)【特許請求の範囲】
【請求項１】
タッチパネルの静電容量の変化量と比較する閾値を切替えることで、複数の感度で前記タッチパネルへのタッチを検出するタッチパネル制御部と、
ＩＣタグに記憶された手袋情報と前記ＩＣタグの受信強度とを用いて、前記ＩＣタグが前記タッチパネルに設定範囲内まで接近しているか否かを判定する接近判定部と、
前記接近判定部により前記ＩＣタグが接近していると判定された場合と、接近していないと判定された場合とで、前記タッチパネル制御部に異なる感度でタッチの検出を行わせる感度設定部とを備えることを特徴とするタッチパネル制御装置。
【請求項２】
前記感度設定部は、前記接近判定部により前記ＩＣタグが接近していると判定された場合に、前記ＩＣタグに記憶された手袋情報に応じた感度で前記タッチパネル制御部にタッチの検出を行わせることを特徴とする請求項１記載のタッチパネル制御装置。
【請求項３】
同じ空間内に存在する複数の前記タッチパネルのうち、前記ＩＣタグが接近しているタッチパネルでのタッチを検出する感度が、前記感度設定部により設定されることを特徴とする請求項１または請求項２記載のタッチパネル制御装置。
【請求項４】
前記接近判定部は、第１位置と第２位置のそれぞれで受信された前記ＩＣタグの受信強度を用いて、前記ＩＣタグの空間内での位置を算出し、複数の前記タッチパネルのうち、前記ＩＣタグが接近しているタッチパネルを選択するＩＣタグ位置算出部であることを特徴とする請求項３記載のタッチパネル制御装置。
【請求項５】
複数の前記タッチパネルごとに受信された前記ＩＣタグの受信強度を用いて、前記接近判定部が、複数の前記タッチパネルごとに前記ＩＣタグの接近を判定することを特徴とする請求項３記載のタッチパネル制御装置。
【請求項６】
前記タッチパネルと、
請求項１から請求項５のうちのいずれか１項記載のタッチパネル制御装置とを備えることを特徴とするタッチパネル装置。
【請求項７】
前記タッチパネルと、
前記タッチパネルと一体のディスプレイと、
請求項１から請求項５のうちのいずれか１項記載のタッチパネル制御装置とを備えることを特徴とするディスプレイ装置。
【請求項８】
請求項１から請求項５のうちのいずれか１項記載のタッチパネル制御装置を備えることを特徴とする電子機器。
【請求項９】
請求項１から請求項５のうちのいずれか１項記載のタッチパネル制御装置が備える前記接近判定部、請求項６に記載のタッチパネル装置が備える前記接近判定部、請求項７に記載のディスプレイ装置が備える前記接近判定部、又は、請求項８に記載の電子機器が備える前記接近判定部で識別可能な手袋情報を記憶した手袋用のＩＣタグ。
【発明の詳細な説明】
【技術分野】
【０００１】
この発明は、静電容量式タッチパネルへのタッチを検出するタッチパネル制御装置に関するものである。
【背景技術】
【０００２】
指等がタッチした際の静電容量の変化に基づき、そのタッチを検出する静電容量式タッチパネルが知られている。このような静電容量式タッチパネルでは、ユーザが手袋を装着した状態でタッチした場合と、ユーザが手袋を装着せずに指で直接タッチした場合とで、静電容量の変化が異なる。
従って、ユーザが手袋を装着しているか否かに応じて、タッチの検出に使う静電容量の変化量の閾値を切替える、つまり、タッチパネルの感度を切替えることができると好ましい。
例えば特許文献１には、カメラによる撮影画像に基づいて、ユーザが手袋装着状態か否かを判断し、判断結果に応じてタッチパネルのタッチ感度モードを設定するタッチパネル制御装置が記載されている。
【先行技術文献】
【特許文献】
【０００３】
【特許文献１】特開２０１４―１８２７００号公報
【発明の概要】
【発明が解決しようとする課題】
【０００４】
しかしながら、上記特許文献１のようにカメラによる撮影画像を利用する場合、カメラと、手袋装着状態か否かを判断するための画像処理ＩＣ（Ｉｎｔｅｇｒａｔｅｄ  Ｃｉｒｃｕｉｔ）とが必要となって、コストが掛かる。
【０００５】
この発明は、上記のような課題を解決するためになされたもので、手袋を装着した状態でのタッチパネルへの接近を、カメラを用いる場合に比べ安価な構成で判定することを可能とし、判定に応じて異なる感度を設定することができるタッチパネル制御装置を得ることを目的とする。
【課題を解決するための手段】
【０００６】
この発明に係るタッチパネル制御装置は、タッチパネルの静電容量の変化量と比較する閾値を切替えることで、複数の感度でタッチパネルへのタッチを検出するタッチパネル制御部と、ＩＣタグに記憶された手袋情報とＩＣタグの受信強度とを用いて、ＩＣタグがタッチパネルに設定範囲内まで接近しているか否かを判定する接近判定部と、接近判定部によりＩＣタグが接近していると判定された場合と、接近していないと判定された場合とで、タッチパネル制御部に異なる感度でタッチの検出を行わせる感度設定部とを備えるものである。
【発明の効果】
【０００７】
この発明によれば、手袋を装着した状態でのタッチパネルへの接近を、カメラを用いる場合に比べ安価な構成で判定することを可能とし、判定に応じて異なる感度を設定することができる。
【図面の簡単な説明】
【０００８】
【図１】この発明の実施の形態１に係る電子機器の外観図である。
【図２】この発明の実施の形態１に係る電子機器の構成図である。
【図３】図３Ａ及び図３Ｂは、中央制御部のハードウェア構成例を示す図である。
【図４】この発明の実施の形態１に係る電子機器の処理を示すフローチャートである。
【図５】この発明の実施の形態２に係る電子機器の外観図である。
【図６】この発明の実施の形態２に係る電子機器の構成図である。
【図７】この発明の実施の形態２に係る電子機器の処理を示すフローチャートである。
【図８】この発明の実施の形態３に係る電子機器の配置状況を示す図である。
【図９】この発明の実施の形態３に係る電子機器の構成図である。
【図１０】この発明の実施の形態３に係る他の例の電子機器の配置状況を示す図である
【発明を実施するための形態】
【０００９】
実施の形態１．
図１に、この発明の実施の形態１に係る電子機器１の外観図を示す。また、図２に、電子機器１の構成図を示す。電子機器１は、例えば、スマートフォン、タブレット型コンピュータ、車載ナビゲーション機器等であり、様々な設置場所及び様々な用途の機器として実現される。図１及び図２には、電子機器１により検知されるＩＣタグ２と、ＩＣタグ２が付けられた手袋３についても示している。
【００１０】
電子機器１は、タッチパネル１０、タッチパネル制御部１１、ＩＣタグ検知部１２、中央制御部１３、映像処理部１４、ディスプレイ１５を有する。
タッチパネル１０は、静電容量式のタッチパネルであり、タッチパネル１０にユーザの指等の物体がタッチすることによる静電容量の変化量を、タッチパネル制御部１１に出力する。
【００１１】
タッチパネル制御部１１は、タッチパネル１０が出力する静電容量の変化量を閾値と比較する。当該閾値以上に静電容量が変化している場合に、タッチパネル制御部１１は、タッチパネル１０がタッチされたと検出する。タッチパネル制御部１１は、タッチを検出すると、その旨を当該タッチのタッチパネル１０上でのタッチ位置と共に中央制御部１３に出力する。
タッチパネル制御部１１は、中央制御部１３の指示を受けて、静電容量の変化量と比較する閾値を切替えるように構成されている。これにより、タッチパネル制御部１１は、複数の感度でタッチパネル１０へのタッチを検出できるように構成されている。
【００１２】
ＩＣタグ検知部１２は、アンテナ１２ａと送受信部１２ｂとを有し、ＩＣタグ２と無線通信を行う。送受信部１２ｂは、アンテナ１２ａを介してＩＣタグ２と通信し、ＩＣタグ２に記憶された手袋情報を受信する。手袋情報は、ＩＣタグ２が手袋３に付けて使用されるＩＣタグであることを示す情報である。形式としては任意であり、文字情報でも、数字情報でもよい。送受信部１２ｂは、ＩＣタグ２から受信した手袋情報と、その際の受信強度とを中央制御部１３に出力する。ＩＣタグ２は、アンテナ、記憶部等を有している。
【００１３】
ＩＣタグ検知部１２とＩＣタグ２との間の通信には、例えばＲＦＩＤ（Ｒａｄｉｏ  Ｆｒｅｑｕｅｎｃｙ  ＩＤｅｎｔｉｆｉｃａｔｉｏｎ）を利用することができる。ＲＦＩＤの方式としては、ＩＣタグ２がメモリ保持及び送信のためのバッテリーを有する能動型、ＩＣタグ２がＩＣタグ検知部１２からの磁界又は電界のエネルギーを利用して応答する受動型、更に、ＩＣタグ検知部１２が中央制御部１３に制御されてＩＣタグ２に信号を送信することによりＩＣタグ２が返答する質問式、ＩＣタグ２が周期的に信号を送信してＩＣタグ検知部１２が当該信号を受信する放送式を組み合わせた方式が挙げられる。具体的には例えば、能動型と放送式、受動型と質問式等の周知の適宜の組合せが挙げられる。
ＩＣタグ検知部１２とＩＣタグ２は、特定の方式に限るものではないが、ＩＣタグ２が受動型であると、ＩＣタグ２のコストが下がるというメリットがある。
【００１４】
ＩＣタグ検知部１２は、例えば電子機器１の内部にある制御基板上に設けられる。図１及び図２は、このようにしてＩＣタグ検知部１２を電子機器１と一体的に設けた場合を示しているが、他の箇所に設けてもよい。例えば、タッチパネル１０付近にＩＣタグ検知部１２を単独で設け、電子機器１と通信可能に接続してもよい。いずれにせよ、ＩＣタグ検知部１２は、タッチパネル１０の付近に設けるようにする。
また、ＩＣタグ２は、手袋３に埋め込まれて内蔵された状態であってもよいし、埋め込まれずに取り付け及び取り外しが自在の状態であってもよい。
【００１５】
中央制御部１３は、接近判定部１３ａ、感度設定部１３ｂ、処理実行部１３ｃを有する。
接近判定部１３ａは、ＩＣタグ検知部１２が出力する受信強度を用いて、ＩＣタグ２がＩＣタグ検知部１２つまりタッチパネル１０に、設定範囲内まで接近しているか否かを判定する。
設定範囲内は、タッチパネル１０からの距離が例えば数センチ以内の範囲を指す。従って、例えば、ＩＣタグ２が設定範囲内にある場合に検出される受信強度を予め測定するなどして受信強度閾値を設定しておき、接近判定部１３ａは、当該受信強度閾値をＩＣタグ検知部１２が出力する受信強度が超える場合に、ＩＣタグ２がタッチパネル１０に設定範囲内まで接近していると判定する。接近判定部１３ａによる判定結果は、感度設定部１３ｂに出力される。
【００１６】
なおその際、手袋３に付けて使用されるＩＣタグ２以外の用途のＩＣタグが電子機器１付近で使用される場合の影響を排除するために、接近判定部１３ａは、ＩＣタグ検知部１２が出力する情報が識別可能な手袋情報であるかを確認することで、ＩＣタグ２が手袋３に付けて使用されるＩＣタグであるかを確認する。このため、例えば、手袋３に付けて使用されるＩＣタグに記憶される情報が、接近判定部１３ａでアクセス可能な不図示の記憶部にも予め記憶されており、接近判定部１３ａは、当該記憶部に記憶されている情報の中に、ＩＣタグ検知部１２が出力する情報と同じ情報が含まれている場合に、ＩＣタグ検知部１２が出力する情報は接近判定部１３ａで識別可能な手袋情報であると判定する。
【００１７】
感度設定部１３ｂは、タッチパネル制御部１１に対して、タッチを検出する際に用いる閾値を指示し、状況に応じてタッチパネル制御部１１に異なる感度でタッチの検出を行わせる。具体的には、接近判定部１３ａによりＩＣタグ２が接近していると判定された場合と、接近していないと判定された場合とで、タッチパネル制御部１１に異なる閾値を用いるように指示する。
【００１８】
処理実行部１３ｃは、タッチパネル制御部１１が出力するタッチが検出されたタッチ位置に応じて、当該タッチ位置に対応する処理を実行する。例えば、電子機器１がタブレット型コンピュータであり、タッチ位置に対応する処理がインターネットでの検索実行処理である場合、当該処理を実行する。処理結果は、映像処理部１４に出力される。
【００１９】
映像処理部１４は、処理実行部１３ｃが出力する処理結果を用いて、ディスプレイ１５で表示する映像を生成し、映像信号としてディスプレイ１５に出力する。
ディスプレイ１５は、映像処理部１４が出力する映像信号を用いて、映像を表示する。ディスプレイ１５は、透明なタッチパネル１０の裏側に配置されて、タッチパネル１０と一体となっている。ディスプレイ１５は、例えば液晶ディスプレイである。
【００２０】
なお、図１及び図２では、ディスプレイ１５がタッチパネル１０と一体となって設けられる電子機器１を示した。しかしながら、ディスプレイ１５を設けずに、タッチパッドとして機能するタッチパネル１０を備えた電子機器１としてもよい。この場合、映像処理部１４も設けなくてよい。
【００２１】
また、タッチパネル制御部１１と中央制御部１３とがタッチパネル制御装置を構成する。また、タッチパネル制御装置とタッチパネル１０とがタッチパネル装置を構成する。また、タッチパネル制御装置とタッチパネル１０とディスプレイ１５とがディスプレイ装置を構成する。
【００２２】
中央制御部１３のハードウェア構成例について、図３Ａ及び図３Ｂを用いて説明する。
中央制御部１３の接近判定部１３ａ、感度設定部１３ｂ、処理実行部１３ｃの各機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）とも呼ばれる。
【００２３】
図３Ａは、中央制御部１３の各部の機能を、専用のハードウェアである処理回路１００で実現した場合のハードウェア構成例を示す図である。処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。接近判定部１３ａ、感度設定部１３ｂ、処理実行部１３ｃの各部の機能を別個の処理回路１００を組み合わせて実現してもよいし、各部の機能を１つの処理回路１００で実現してもよい。
【００２４】
図３Ｂは、中央制御部１３の各部の機能を、メモリ１０１に格納されるプログラムを実行するＣＰＵ１０２で実現した場合のハードウェア構成例を示す図である。この場合、接近判定部１３ａ、感度設定部１３ｂ、処理実行部１３ｃの各部の機能は、ソフトウェア、ファームウェア、またはソフトウェアとファームウェアとの組合せにより実現される。ソフトウェア及びファームウェアはプログラムとして記述され、メモリ１０１に格納される。ＣＰＵ１０２は、メモリ１０１に格納されたプログラムを読み出して実行することにより、中央制御部１３の各部の機能を実現する。すなわち、中央制御部１３は、後述する図４及び図７のフローチャートで示す各ステップが結果的に実行されることになるプログラム等を格納するためのメモリ１０１を有する。また、これらのプログラムは、中央制御部１３の各部の手順又は方法をコンピュータに実行させるものであるとも言える。ここで、メモリ１０１は、例えば、ＲＡＭ、ＲＯＭ、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性又は揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００２５】
なお、中央制御部１３の各部の機能について、一部を専用のハードウェアで実現し、一部をソフトウェアまたはファームウェアで実現するようにしてもよい。例えば、接近判定部１３ａ、感度設定部１３ｂについては専用のハードウェアとしての処理回路でその機能を実現し、処理実行部１３ｃについては処理回路がメモリに格納されたプログラムを読み出して実行することによってその機能を実現することが可能である。
【００２６】
このように、処理回路は、ハードウェア、ソフトウェア、ファームウェアまたはこれらの組合せによって、上記の中央制御部１３の各機能を実現することができる。
また、タッチパネル制御部１１、映像処理部１４についても、中央制御部１３と同様に図３Ａ及び図３Ｂのように構成することができる。
【００２７】
次に、電子機器１の処理の一例について、図４に示すフローチャートを用いて説明する。
まず、接近判定部１３ａが、ＩＣタグ検知部１２が出力する手袋情報と受信強度とを用いて、手袋３に付けて使用されるＩＣタグ２の受信強度が受信強度閾値以上であるかを判定する（ステップＳＴ１）。
ＩＣタグ２の受信強度が受信強度閾値未満の場合（ステップＳＴ１；ＮＯ）、つまり、ＩＣタグ２がタッチパネル１０に設定範囲内まで接近してはいない場合、接近判定部１３ａは、ステップＳＴ１の処理を繰り返す。
【００２８】
一方、ＩＣタグ２の受信強度が受信強度閾値以上の場合（ステップＳＴ１；ＹＥＳ）、つまり、ＩＣタグ２がタッチパネル１０に設定範囲内まで接近している場合、その旨が感度設定部１３ｂに出力され、感度設定部１３ｂが、タッチパネル制御部１１に対して、手袋を装着した状態でのタッチに対応した閾値を用いてタッチの検出を行うよう指示する。具体的には、手袋を装着していないときに指示する閾値よりも低い値の閾値の使用が指示される。このようにして、感度設定部１３ｂが、タッチパネル制御部１１にタッチ検出の感度を上げさせる（ステップＳＴ２）。このときに設定された感度は、その後新たに感度が設定されるまで、保持される。
【００２９】
続いて、接近判定部１３ａが、ＩＣタグ検知部１２が出力する手袋情報と受信強度とを用いて、手袋３に付けて使用されるＩＣタグ２の受信強度が受信強度閾値未満であるかを判定する（ステップＳＴ３）。
ＩＣタグ２の受信強度が受信強度閾値以上の場合（ステップＳＴ３；ＮＯ）、つまり、ＩＣタグ２がタッチパネル１０に設定範囲内まで接近している状態が続いている場合、接近判定部１３ａは、ステップＳＴ３の処理を繰り返す。
【００３０】
一方、ＩＣタグ２の受信強度が受信強度閾値未満の場合（ステップＳＴ３；ＹＥＳ）、つまり、ＩＣタグ２がタッチパネル１０に設定範囲内まで接近してはいない状態となった場合、その旨が感度設定部１３ｂに出力され、感度設定部１３ｂが、タッチパネル制御部１１に対して、手袋を装着していない状態でのタッチに対応した閾値を用いてタッチの検出を行うよう指示する。具体的には、手袋を装着しているときに指示する閾値よりも高い値の閾値の使用が指示される。このようにして、感度設定部１３ｂが、タッチパネル制御部１１にタッチ検出の感度を下げさせる（ステップＳＴ４）。このときに設定された感度は、その後新たに感度が設定されるまで、保持される。
【００３１】
図４に示す処理は、電子機器１の動作中に周期的に行われる。
このように、電子機器１は、手袋３に付けられたＩＣタグ２を利用して、手袋を装着した状態でのタッチパネル１０への接近を判定し、接近が認められた場合に、タッチ検出の感度を上げる。ＩＣタグ２を利用したタッチパネル１０への接近の判定は、カメラを利用した画像処理により手袋の装着状態を判定する構成に比べ、安価に実現することができる。
【００３２】
以上のように、この実施の形態１に係る電子機器１は、手袋３に付けられたＩＣ２タグを利用して、手袋を装着した状態でのタッチパネル１０への接近を判定し、判定に応じて異なる感度でのタッチ検出を設定する。手袋を装着した状態でのタッチパネル１０への接近を判定するのにＩＣタグ２を利用することで、カメラを利用する場合に比べ安価に実現できる。
【００３３】
実施の形態２．
実施の形態１では、手袋３に付けられたＩＣタグ２の接近の有無に応じて、タッチ検出の感度を異なるものにした。実施の形態２では、更に、ＩＣタグ２が付けられた手袋３の仕様に応じてタッチ検出の感度を設定する場合について説明する。
手袋３は、その素材、厚み等の仕様に応じて、適切なタッチ検出の感度が異なる。従って、手袋３の仕様に応じて異なるＩＣタグ２を付けておくことで、タッチパネル１０に接近した手袋３の仕様に応じた適切な感度に設定できるようにする。
【００３４】
図５に、この発明の実施の形態２に係る電子機器１の外観図を示す。また、図６に、この発明の実施の形態２に係る電子機器１の構成図を示す。なお、実施の形態１で既に説明した構成と同一又は相当する機能を有する構成については、同一の符号を付し、その説明を省略又は簡略化する。図５及び図６に示すように、ＩＣタグ２が付けられた手袋３は、ＩＣタグ２ａが付けられた手袋３ａと、ＩＣタグ２ｂが付けられた手袋３ｂとして、複数存在する。
【００３５】
手袋３ａと手袋３ｂは、仕様が互いに異なり、適切なタッチ検出の感度も異なる。ＩＣタグ２ａとＩＣタグ２ｂには、手袋３ａと手袋３ｂとが異なる仕様であることが識別可能な情報、例えば、互いに異なるＩＤ（ＩＤｅｎｔｉｆｉｃａｔｉｏｎ）番号が手袋情報として記憶されている。
【００３６】
ＩＣタグ検知部１２の送受信部１２ｂは、ＩＣタグ２ａ，２ｂとの通信時に、ＩＣタグ２ａ，２ｂからそれぞれのＩＤ番号を含む手袋情報を受信し、受信強度と共に中央制御部１３に出力する。
【００３７】
接近判定部１３ａは、ＩＣタグ検知部１２が出力する受信強度とＩＤ番号を含む手袋情報とを用いて、当該ＩＤ番号のＩＣタグ２が、タッチパネル１０に設定範囲内まで接近しているか否かを判定する。接近判定部１３ａによる判定結果は、手袋情報と共に感度設定部１３ｂに出力される。
【００３８】
感度設定部１３ｂは、接近判定部１３ａによりＩＣタグ２ａ，２ｂが接近していると判定された場合と、接近していないと判定された場合とで、タッチパネル制御部１１に異なる閾値を用いるように指示する。更に、ＩＣタグ２ａ，２ｂが接近していると判定された場合であれば、判定結果と共に出力された手袋情報内のＩＤ番号に応じてタッチパネル制御部１１に異なる感度でタッチの検出を行わせる。
このために、例えば、タッチ検出の感度つまりタッチパネル制御部１１が使用する閾値と、ＩＤ番号とを対応付けたテーブルが、感度設定部１３ｂでアクセス可能な不図示の記憶部に予め記憶されている。
【００３９】
次に、実施の形態２の電子機器１の処理の一例について、図７に示すフローチャートを用いて説明する。ここでは、手袋３ａに付けられたＩＣタグ２ａには、手袋３ａの仕様に適したＩＤ番号Ａが記憶され、手袋３ｂに付けられたＩＣタグ２ｂには、手袋３ｂの仕様に適したＩＤ番号Ｂが記憶されているとして説明する。また、一度に手袋３ａ，３ｂの両方が近づいてきた場合には、ＩＣタグ２ａに応じた感度の設定を、ＩＣタグ２ｂに応じた感度の設定よりも優先する場合を例に説明する。従って、接近判定部１３ａがアクセス可能な不図示の記憶部には、例えば、手袋情報に含まれる各ＩＤ番号とその優先順位が分かるようなテーブルが記憶されている。
【００４０】
まず、接近判定部１３ａが、ＩＣタグ検知部１２が出力する手袋情報と受信強度とを用いて、手袋情報にＩＤ番号Ａが含まれており受信強度が受信強度閾値以上であるか、つまり、ＩＣタグ２ａの受信強度が受信強度閾値以上であるかを判定する（ステップＳＴ１０）。
ＩＣタグ２ａの受信強度が受信強度閾値以上の場合（ステップＳＴ１０；ＹＥＳ）、その旨が手袋情報と共に感度設定部１３ｂに出力され、感度設定部１３ｂが、タッチパネル制御部１１に対して、タッチ検出の感度をＩＤ番号Ａに対応した感度に上げさせる（ステップＳＴ１１）。
【００４１】
続いて、接近判定部１３ａが、ＩＣタグ検知部１２が出力する手袋情報と受信強度とを用いて、ＩＣタグ２ａの受信強度が受信強度閾値未満であるかを判定する（ステップＳＴ１２）。
ＩＣタグ２ａの受信強度が受信強度閾値以上の場合（ステップＳＴ１２；ＮＯ）、接近判定部１３ａは、ステップＳＴ１２の処理を繰り返す。
【００４２】
一方、ＩＣタグ２ａの受信強度が受信強度閾値未満の場合（ステップＳＴ１２；ＹＥＳ）、その旨が感度設定部１３ｂに出力され、感度設定部１３ｂが、タッチパネル制御部１１に対して、手袋を装着していない状態でのタッチに対応するよう、タッチ検出の感度を下げさせる（ステップＳＴ１３）。
【００４３】
なお、ＩＣタグ２ａの受信強度が受信強度閾値未満の場合（ステップＳＴ１０；ＮＯ）、接近判定部１３ａが、ＩＣタグ検知部１２が出力する手袋情報と受信強度とを用いて、手袋情報にＩＤ番号Ｂが含まれており受信強度が受信強度閾値以上であるか、つまり、ＩＣタグ２ｂの受信強度が受信強度閾値以上であるかを判定する（ステップＳＴ１４）。このように、ＩＣタグ２ａの受信強度が受信強度閾値未満であった場合には、ＩＣタグ２ｂの受信強度を用いた判定に移行する。
ＩＣタグ２ｂの受信強度が受信強度閾値以上の場合（ステップＳＴ１４；ＹＥＳ）、その旨が手袋情報と共に感度設定部１３ｂに出力され、感度設定部１３ｂが、タッチパネル制御部１１に対して、タッチ検出の感度をＩＤ番号Ｂに対応した感度に上げさせる（ステップＳＴ１５）。
【００４４】
続いて、接近判定部１３ａが、ＩＣタグ検知部１２が出力する手袋情報と受信強度とを用いて、ＩＣタグ２ｂの受信強度が受信強度閾値未満であるかを判定する（ステップＳＴ１６）。
ＩＣタグ２ｂの受信強度が受信強度閾値以上の場合（ステップＳＴ１６；ＮＯ）、接近判定部１３ａは、ステップＳＴ１６の処理を繰り返す。
【００４５】
一方、ＩＣタグ２ｂの受信強度が受信強度閾値未満の場合（ステップＳＴ１６；ＹＥＳ）、その旨が感度設定部１３ｂに出力され、感度設定部１３ｂが、タッチパネル制御部１１に対して、手袋を装着していない状態でのタッチに対応するよう、タッチ検出の感度を下げさせる（ステップＳＴ１７）。
【００４６】
なお、ＩＣタグ２ｂの受信強度が受信強度閾値未満の場合（ステップＳＴ１４；ＮＯ）、ステップＳＴ１０の処理を繰り返す。
図７に示す処理は、電子機器１の動作中に周期的に行われる。
図７に示す処理により、仕様が異なるために異なるＩＤ番号を記憶したＩＣタグ２が付けられた複数の手袋３が一度にタッチパネル１０に近づいてきた場合、優先順位を付けた上での感度の設定が可能となる。なお、図７では、ＩＣタグ２ａを優先すると予め設定されている場合を例に説明したが、例えば、受信強度がより大きい方のＩＣタグ２を優先するようにしてもよい。
【００４７】
このように、電子機器１は、手袋３の仕様に応じた手袋情報が記憶されたＩＣタグ２を利用して、タッチ検出の感度を手袋３の仕様に応じた適切な感度に設定する。この構成は、電子機器１のユーザが複数人存在し、それぞれのユーザで異なる仕様の手袋３を装着している場合に有用である。
【００４８】
なお、上記では、仕様が異なる手袋３として、手袋３ａ，３ｂの２つがある場合を例に説明したが、仕様が異なる手袋３が３つ以上ある場合に対しても同様に適用できる。
また、上記では、ＩＣタグ２に手袋情報として記憶されたＩＤ番号を利用したが、手袋３の仕様が異なることが分かる情報であれば、どのような形式の情報であっても構わない。例えば、手袋３の厚さの情報であってもよいし、手袋３の素材の情報であってもよいし、タッチパネル制御部１１が使用する閾値の情報であってもよい。
【００４９】
以上のように、この実施の形態２に係る電子機器１は、実施の形態１の効果に加えて、手袋３の仕様に応じた適切なタッチ検出の感度に設定することができるので、利便性が向上する。
【００５０】
実施の形態３．
実施の形態３では、車室内等、同じ空間内にタッチパネル１０が複数存在する場合について説明する。
【００５１】
図８に、この発明の実施の形態３に係る電子機器１の配置状況を示す。図８は、車室内に電子機器１が３つ固定されている場合を例示しているが、他にも例えば、建物内の同じ部屋に固定されている場合でも構わない。要は、隣接する他の空間と仕切られた閉鎖空間等にタッチパネル１０が複数存在する場合が、実施の形態３の主な対象となる。また、図９に、この発明の実施の形態３に係る電子機器１の構成図を示す。なお、実施の形態１で既に説明した構成と同一又は相当する機能を有する構成については、同一の符号を付し、その説明を省略又は簡略化する。図８に示すように、ＩＣタグ検知部１２として、第１位置にＩＣタグ検知部１２Ａが置かれ、第２位置にＩＣタグ検知部１２Ｂが置かれている。
【００５２】
ＩＣタグ検知部１２Ａ，１２Ｂと各電子機器１の中央制御部１３との間には、ＩＣタグ位置算出部１６が設けられている。
ＩＣタグ位置算出部１６は、ＩＣタグ検知部１２Ａが出力する受信強度と手袋情報、ＩＣタグ検知部１２Ｂが出力する受信強度と手袋情報を用いて、ＩＣタグ２の空間内での位置を算出する。例えば、ＩＣタグ検知部１２ＡとＩＣタグ２との距離と、ＩＣタグ検知部１２ＡでのＩＣタグ２の受信強度との対応関係を予め不図示の記憶部に記憶しておく。同様に、ＩＣタグ検知部１２ＢとＩＣタグ２との距離と、ＩＣタグ検知部１２ＢでのＩＣタグ２の受信強度との対応関係を予め不図示の記憶部に記憶しておく。ＩＣタグ位置算出部１６は、当該記憶部にアクセスして、ＩＣタグ検知部１２Ａが出力するＩＣタグ２の受信強度から、ＩＣタグ検知部１２ＡとＩＣタグ２との距離を求め、ＩＣタグ検知部１２Ｂが出力するＩＣタグ２の受信強度から、ＩＣタグ検知部１２ＢとＩＣタグ２との距離を求める。ＩＣタグ検知部１２Ａ，１２Ｂという２点からの距離が求まれば、ＩＣタグ２の空間内での位置を２次元的に算出できる。ＩＣタグ検知部１２の数を増やせば、算出される位置の精度は高まるが、車室内等のさほど高さのない空間内では、２次元的に位置を算出できれば十分であるので、ＩＣタグ検知部１２を２つ設けるという簡素な構成であっても有用である。
【００５３】
そして、ＩＣタグ位置算出部１６は、算出したＩＣタグ２の位置から、各電子機器１のタッチパネル１０のうち、ＩＣタグ２が設定範囲内まで接近しているタッチパネル１０を選択する。なお、当該設定範囲内は、実施の形態１で説明した設定範囲内と同じでもよいし、実施の形態１で説明した設定範囲内よりも広い範囲とされてもよい。そして、選択したタッチパネル１０に対応する中央制御部１３に、ＩＣタグ２が接近している旨を伝える。このため、ＩＣタグ位置算出部１６がアクセス可能な不図示の記憶部には、各電子機器１のタッチパネル１０の空間内での位置が予め記憶されている。
【００５４】
なお、ＩＣタグ位置算出部１６は、ＩＣタグ検知部１２Ａ，１２Ｂが出力する手袋情報を用いて、ＩＣタグ２が手袋３に付けて使用されるＩＣタグであるかを実施の形態１と同様に確認するとともに、ＩＣタグ検知部１２Ａ，１２Ｂが出力する受信強度が同じＩＣタグ２のものであるかを確認する。
【００５５】
ＩＣタグ位置算出部１６によって、ＩＣタグ２の接近が伝えられた中央制御部１３の感度設定部１３ｂは、タッチパネル制御部１１に対して、手袋を装着した状態でのタッチに対応するようにタッチ検出の感度を上げさせる。
【００５６】
また、ＩＣタグ２の空間内での位置を算出するＩＣタグ位置算出部１６は、ＩＣタグ２がタッチパネル１０に接近している旨を中央制御部１３に伝えた後に、当該ＩＣタグ２が当該タッチパネル１０に設定範囲内まで接近してはいない状態となると、その旨を対応する中央制御部１３に伝える。すると、当該中央制御部１３の感度設定部１３ｂは、タッチパネル制御部１１に対して、手袋を装着していない状態でのタッチに対応するようにタッチ検出の感度を下げさせる。
【００５７】
このように、ＩＣタグ検知部１２を２つ設けることにより、ＩＣタグ位置算出部１６でＩＣタグ２の位置を算出し、ＩＣタグ２が接近しているタッチパネル１０を選択する。電子機器１が３つ以上存在する場合でも、２つのＩＣタグ検知部１２を利用してＩＣタグ２の位置が算出可能なので、ＩＣタグ検知部１２の共通化によるコストメリットが得られる。この構成は、同じ空間内に電子機器１が複数固定されている場合に有用である。
【００５８】
なお、ＩＣタグ位置算出部１６は、図３Ａ及び図３Ｂのように構成することができる。
また、ＩＣタグ位置算出部１６は、ＩＣタグ検知部１２Ａ又はＩＣタグ検知部１２Ｂに組み込んで設けてもよいし、ＩＣタグ検知部１２Ａ及びＩＣタグ検知部１２Ｂとは別の装置としてもよい。いずれにせよ、ＩＣタグ位置算出部１６は、タッチパネル制御装置の一部として機能する。
また、上記のようにＩＣタグ２のタッチパネル１０への接近を判定するＩＣタグ位置算出部１６は、接近判定部１３ａであると言える。
【００５９】
また、同じ空間内にタッチパネル１０が複数存在する場合に、図８及び図９に示す構成と異なり、図１０に示すようにＩＣタグ検知部１２を電子機器１ごとに設けてもよい。つまり、実施の形態１，２で示したような電子機器１が、同じ空間内に複数存在することとなる。
【００６０】
このように、電子機器１ごとにＩＣタグ検知部１２を設けることにより、タッチパネル１０ごとに受信されたＩＣタグ２の受信強度を用いて、接近判定部１３ａは、タッチパネル１０ごとにＩＣタグ２の接近を判定する。この構成は、同じ空間内に持ち運び可能な状態で電子機器１が複数存在する場合に有用である。
【００６１】
以上のように、この実施の形態３に係る電子機器１は、同じ空間内にタッチパネル１０が複数存在する場合でも、実施の形態１，２と同様の効果を得ることができる。
【００６２】
また、接近判定部１３ａは、第１位置と第２位置のそれぞれで受信されたＩＣタグ２の受信強度を用いて、ＩＣタグ２の空間内での位置を算出し、複数のタッチパネル１０のうち、ＩＣタグ２が接近しているタッチパネル１０を選択するＩＣタグ位置算出部１６であることとした。このようにすると、同じ空間内に電子機器１が複数固定されている場合に有用である。また、ＩＣタグ検知部１２の共通化によるコストメリットが得られる。
できる。
【００６３】
また、複数のタッチパネル１０ごとに受信されたＩＣタグ２の受信強度を用いて、接近判定部１３ａが、複数のタッチパネル１０ごとにＩＣタグ２の接近を判定することとした。このようにすると、同じ空間内に持ち運び可能な状態で電子機器１が複数存在する場合に有用である。
【００６４】
なお、本願発明はその発明の範囲内において、各実施の形態の自由な組み合わせ、あるいは各実施の形態の任意の構成要素の変形、もしくは各実施の形態においての任意の構成要素の省略が可能である。
【符号の説明】
【００６５】
１  電子機器、２，２ａ，２ｂ  ＩＣタグ、３，３ａ，３ｂ  手袋、１０  タッチパネル、１１  タッチパネル制御部、１２，１２Ａ，１２Ｂ  ＩＣタグ検知部、１２ａ  アンテナ、１２ｂ  送受信部、１３  中央制御部、１３ａ  接近判定部、１３ｂ  感度設定部、１３ｃ  処理実行部、１４  映像処理部、１５  ディスプレイ、１６  ＩＣタグ位置算出部、１００  処理回路、１０１  メモリ、１０２  ＣＰＵ。
【図１】
0006525922.tif 000002
【図２】
0006525922.tif 000003
【図３】
0006525922.tif 000004
【図４】
0006525922.tif 000005
【図５】
0006525922.tif 000006
【図６】
0006525922.tif 000007
【図７】
0006525922.tif 000008
【図８】
0006525922.tif 000009
【図９】
0006525922.tif 000010
【図１０】
0006525922.tif 000011